(57)【要約】    【課題】  本考案は、信号端子の組み立て作業がより簡素化され、生産効率が有効に向上される、カード読取装置を提供する。    【解決手段】      絶縁主体と、少なくとも一つの信号端子組と、絶縁板とがあるカード読取装置であり、主として、当該絶縁板は、組み立て方式により、当該絶縁主体上に固定され、当該絶縁板は、少なくとも一つの信号端子組の複数の信号端子の自由端の上方に位置し、これらの信号端子の自由端に、予圧力を印加する。【選択図】図２
0003109581.tif 000002
【実用新案登録請求の範囲】
【請求項１】
カード収納空間がある、絶縁主体と、
当該絶縁主体上に実装される、複数の、一端が当該絶縁主体の外へ延ばして溶接部を形成し、もう一端が当該カード収納空間の内へ延ばして接触部を形成する、信号端子を有する、少なくとも一つの信号端子組と、
組み立て方式により当該絶縁主体上に固定られ、少なくとも一つの信号端子組の複数の信号端子の自由端の上方に位置する、これらの信号端子の自由端に予圧力を提供する、絶縁板と、を有することを特徴とするカード読取装置。
【請求項２】
当該絶縁主体には、ベース部と、二つの、当該ベース部に連接される両端が平行的に延ばすアーム部とがあり、当該ベース部と当該二つのアーム部との間には、当該カード収納空間が形成されることを特徴とする請求項1に記載のカード読取装置。
【請求項３】
当該少なくとも一つの信号端子組には、第１の信号端子組と、第２の信号端子組と、第３の信号端子組とが含有され、当該絶縁板は、当該第３の信号端子組の複数の信号端子の自由端の上方に位置することにより、これらの信号端子の自由端に、予圧力を提供することを特徴とする請求項1に記載のカード読取装置。
【請求項４】
当該絶縁板上には、複数の固定穴が設けられ、当該絶縁主体上には、複数の固定柱が設けられ、これらの固定柱は、対応する固定穴の中に位置し、係合や鋲接或いはホットメルト方式により、これらの固定柱とこれらの固定穴が固定されることにより、当該絶縁板は、当該絶縁主体上に固定されることを特徴とする請求項1に記載のカード読取装置。
【考案の詳細な説明】
【技術分野】
【０００１】
本考案は、カード読取装置に関し、特に、回路基板上にセットされ、電子カードが挿着されて、電子カードと回路基板との間において信号を転送するカード読取装置に関する。
【背景技術】
【０００２】
最近、電子カードが、メッセージ処理の領域に広く応用されるため、当該電子カードを挿着するカード読取装置が登場し、当該カード読取装置は、電子カードが挿着されるために、電子製品の回路基板上にセットされ、これにより、電子カードと回路基板とが、電気的に接続され、電子カードと回路基板との間において、信号が転送されるため、当該電子カードと電子製品との間において、情報の取り扱いができる。
【０００３】
今において、電子カードは、様々の規格や大きさがあるため、種類が多くて、複数・イン・オン（例えば、スリー・イン・オン、フォー・イン・オン、ファイブ・イン・オン等）のカード読取装置が登場する。これらのカード読取装置には、多種類の電子カードが挿着されるため、内部に、複数の対応する信号端子組が設置され、これにより、異なる電子カードが、対応する信号端子組に、電気的に接続される。
【０００４】
上記の信号端子組の信号端子８０は、絶縁主体９０上に組み立てられ（図１のように）、当該絶縁主体９０上に、一体成型で定位部９１を設けることが必要であり、これにより、信号端子８０の自由端８１に、止め定位の機能が与えられ、そして、信号端子８０の自由端８１に適当な予圧力が印加される。
【０００５】
しかしながら、上記の従来のカード読取装置においては、信号端子８０を絶縁主体９０上に組み立てる時、信号端子８０に対して、他に印加する押さえ力により、信号端子８０の自由端８１が下へ押さえられ、信号端子８０は、水平方向に沿って、スムーズに移動して定位部９１内へ入る。信号端子８０が、所定な位置に着くと、信号端子８０に印加される押さえ力を釈放して、定位部９１により、信号端子８０の自由端８１に対して、予圧力が提供される。そのため、信号端子８０的組み立て作業が複雑になり、生産効率が有効的に向上することは、できない。
【０００６】
そのため、上述のように、上記の従来のカード読取装置は、実用上において、不便や欠陥が存在するため、明らかに、改善するスペースがある。
【０００７】
本考案者は、上記の欠陥が改善可能であるため、慎重に研究して、また、学理に合わせて、設計が合理的で、有効に上記の欠陥を改善する考案を提案する。
【考案の開示】
【考案が解決しようとする課題】
【０００８】
本考案の主な目的は、信号端子の組み立て作業がより簡素化で、生産効率が有効に向上される、カード読取装置を提供する。
【課題を解決するための手段】
【０００９】
本考案に係わるカード読取装置は、上記の目的を達成するため、カード収納空間がある、絶縁主体と、当該絶縁主体上に実装される、複数の、一端が当該絶縁主体の外へ延ばして溶接部を形成し、もう一端が当該カード収納空間の内へ延ばして接触部を形成する、信号端子を有する、少なくとも一つの信号端子組と、組み立て方式により当該絶縁主体上に固定られ、少なくとも一つの信号端子組の複数の信号端子の自由端の上方に位置する、これらの信号端子の自由端に予圧力を提供する、絶縁板と、を有する。
【００１０】
図面を参照しながら、本考案に係わる技術の特徴や目的及び効果を、以下の実施例により、詳しく説明する。
【考案を実施するための最良の形態】
【００１１】
図２乃至図５を参照しながら、本考案に係わるカード読取装置には、絶縁主体１と、第１の信号端子組２と、第２の信号端子組３と、第３の信号端子組４と、絶縁板５とがあり、プラスチック材からなる当該絶縁主体１には、ベース部１１と二つの当該ベース部１１に連接される両端が平行的に延ばすアーム部１２とがあり、当該ベース部１１と当該二つのアーム部１２との間には、電子カードが挿着可能なカード収納空間１３が形成される。
【００１２】
これらの第１の信号端子組２や第２の信号端子組３及び第３の信号端子組４には、夫々に、導電性が良いかつ弾性材である金属材からなる、複数の信号端子２１、３１、４１が含有され、これらの信号端子２１、３１、４１は、間隔を置くように、当該絶縁主体１のベース部１１上に実装され（これらの第１の、第２の、第３の信号端子組２、３、４の信号端子２１、３１、４１は、当該絶縁主体１に実装される前、夫々一体に連接され、当該絶縁主体１に実装された後、切り分けることにより、隔離状態になる）、これらの信号端子２１、３１、４１は、カードの進行方向と排出方向に沿って延ばす。
【００１３】
各信号端子２１、３１、４１の一端は、絶縁主体１の後端の外まで延ばして溶接部２２、３２、４２を形成し、これらの溶接部２２、３２、４２は、夫々、信号端子２１、３１、４１の後端が湾曲して延ばすように、形成され、適当な間隔を置いて、一列になるように、絶縁主体１の後端まで延ばし、これにより、回路基板上に溶接され、当該回路基板に電気的に接続される。各信号端子２１、３１、４１のもう一端は、当該カード収納空間１３内まで延ばして、接触部２３、３３、４３を形成し、これらの接触部２３、３３、４３は、信号端子２１、３１、４１の前端が湾曲して延ばすように、形成され、これらの信号端子２１、３１、４１の接触部２３、３３、４３は、夫々、カード収納空間１３内の前段、中段、後段に位置し、夫々、当該カード収納空間１３内に挿着される電子カードと接触して、電気的に接続される。当該第３の信号端子組４の複数の信号端子４１は、接触部４３の近くに位置する一端が、自由端４４になる。
【００１４】
当該絶縁板５は、プラスチック材からなり、当該絶縁主体１の上方に設置され、当該絶縁板５上に、複数の固定穴５１が設けられ、当該絶縁板５の形状やサイズ或いは固定穴５１の数と形状とサイズは、制限されず、実用上に応じて、適当な変化ができ、本実施例において、当該絶縁板５は、長方形板であり、当該固定穴５１は、円形状の穴で、六つである。また、当該絶縁主体１のベース部１１上には、複数の、これらの固定穴５１と対応する固定柱１４が設けられ、これらの固定柱１４は、対応する固定穴５１に位置し、係合や鋲接或いはホットメルト等の方式により、これらの固定柱１４とこれらの固定穴５１が固定されることにより、当該絶縁板５は、当該絶縁主体１上に固定される。
【００１５】
当該絶縁板５は、当該第２の信号端子組３の複数の信号端子３１上を押さえることにより、これらの信号端子３１を位置付ける効果が得られ、また、当該絶縁板５は、当該第３の信号端子組４の複数の信号端子４１の自由端４４の上方において、適当な高さに位置することにより、信号端子４１の自由端４４を止め定位する機能を発揮でき（図５のように）、そして、信号端子４１の自由端４４に対して、適当な予圧力を与え、上記の構成により、本考案に係わるカード読取装置が形成される。
【００１６】
電子カード（図に表示せず）を挿着する時、当該電子カードは、カードの進行方向に沿って押されて、当該カード収納空間１３内に挿着され、これにより、カードが装着され、そして、当該電子カード上にある電気接点は、信号端子２１、３１、４１の接触部２３、３３、４３に対応して接触することにより、電気的に接続され、これにより、当該電子カードは、カード読取装置を介して、回路基板に電気的に接続される。電子カードを排出する時、排出機構（図に表示せず）により、電子カードが排出される。
【００１７】
また、図６は、本考案の他の実施例であり、他の一面で、本考案に係わるカード読取装置が、回路基板上に溶接されるため、当該カード読取装置の信号端子２１、３１、４１の溶接部２２、３２、４２の全ては、逆に設置され、これにより、当該カード読取装置が、他の一面で、当該回路基板上に溶接される。
【００１８】
本考案に係わるカード読取装置は、少なくとも、以下のような、利点がある。
【００１９】
１、本考案によれば、絶縁板５が、組み立て方式により、絶縁主体１のベース部１１上に固定されるため、第３の信号端子組４の複数の信号端子４１を、予めに組み立てることができ、これらの信号端子４１が当該絶縁主体１に実装された後、絶縁板５で、信号端子４１の自由端４４を下へ押さえ、そして、当該絶縁板５が、当該絶縁主体１上に固定されることにより、絶縁板５で、信号端子４１の自由端４４に、予圧力を提供する。これにより、信号端子４１が当該絶縁主体１に実装される時、他に信号端子４１に押さえ力を印加することが不要になり、そのため、信号端子４１の組み立て作業が、より簡素化であり、生産効率が有効に向上される。
【００２０】
２、本考案の絶縁板５は、係合や鋲接或いはホットメルト等の方式で、絶縁主体１上に固定されるため、絶縁板５と絶縁主体１の結合は、より簡単且つ容易で、また、結合は、より丈夫であるため、構造も良く安定的になる。
【００２１】
以上の陳述のように、本考案は、従来のカード読取装置の諸欠陥を解決でき、産業上の利用性や新鋭性及び進歩性があり、実用新案登録請求の要件に満たすため、法に従って出願する。
【００２２】
本考案は、実施例により、説明されるが、本考案の実用新案登録請求の範囲内に掲示される広義的な精神や観点に従って、変更や修正などの変化により、等価な機能を達成できるものは、本考案の実用新案登録請求の範囲に含まれている。
【図面の簡単な説明】
【００２３】
【図１】従来の信号端子と絶縁主体の定位部合わせの部分断面概念図
【図２】本考案の分解斜視図
【図３】本考案の他の角度の分解斜視図
【図４】本考案の立体組み立て図
【図５】本考案の部分断面概念図
【図６】本考案の他の実施例の分解斜視図
【符号の説明】
【００２４】
[従来]
８０  信号端子
８１  自由端
９０  絶縁主体
９１  定位部
[本考案]
１    絶縁主体
１１  ベース部
１２  アーム部
１３  カード収納空間
１４  固定柱
２    第１の信号端子組
２１  信号端子
２２  溶接部
２３  接触部
２４  位置付けシート
３    第２の信号端子組
３１  信号端子
３２  溶接部
３３  接触部
４    第３の信号端子組
４１  信号端子
４２  溶接部
４３  接触部
４４  自由端
５    絶縁板
５１  固定穴
【図１】
0003109581.tif 000003
【図２】
0003109581.tif 000004
【図３】
0003109581.tif 000005
【図４】
0003109581.tif 000006
【図５】
0003109581.tif 000007
【図６】
0003109581.tif 000008